(57)【要約】 【課題】  本発明は、タイムスロット毎に異なる局部発振器を用いて信号の送受信を端末装置と行う処理において、同一の端末装置に対して同一周波数の連続タイムスロットを割当てても、当該同一の端末装置との間で送受信される情報のエラーの発生を抑制することを目的とする。【解決手段】  接続制御部２０６は、同一の端末装置に対して複数の連続したタイムスロットである連続タイムスロットを割当てる。選択制御部２０９は、連続タイムスロットが割当てられた場合には、連続タイムスロットの期間では同一の周波数の局部発振信号を生成する同一の局部発振器を選択するようにＳＷ２０２−４０を制御する。【選択図】      図２
2007129483.tif 000002
【特許請求の範囲】
【請求項１】
互いに異なる周波数の局部発振信号を生成する複数の局部発振器を備え、タイムスロット毎に前記複数の局部発振器のうちの異なる前記局部発振器を選択し、選択した前記局部発振器を用いて信号の送受信を端末装置と行う無線基地局であって、
同一の端末装置に対して複数の連続したタイムスロットである連続タイムスロットを割当てる割当部と、
前記連続タイムスロットが割当てられた場合には、前記連続タイムスロットの期間では同一の周波数の局部発振信号を生成する同一の前記局部発振器を選択する選択部と
を備えることを特徴とする無線基地局。
【請求項２】
前記選択部は、前記同一の端末装置との前記信号の送受信では同一の局部発振器を選択することを特徴とする請求項１に記載の無線基地局。
【請求項３】
前記連続タイムスロットは、送信用及び受信用のいずれか一方の前記端末装置に割当てられており、
前記選択部は、前記端末装置からの前記信号の受信レベルが閾値を超えている場合には、前記一方の前記連続タイムスロットで選択される前記局部発振器とは異なる前記局部発振器を、他方の前記タイムスロットで選択することを特徴とする請求項１に記載の無線基地局。
【請求項４】
前記連続タイムスロットは、送信用及び受信用の前記端末装置に割当てられており、
前記選択部は、前記端末装置からの前記信号の受信レベルが閾値を超えている場合には、前記送信用又は前記受信用のいずれか一方の前記連続タイムスロットで選択される前記局部発振器とは異なる局部発振器を、他方の前記連続タイムスロットに含まれる特定のタイムスロットで選択することを特徴とする請求項１に記載の無線基地局。
【請求項５】
前記選択部は、前記端末装置からの前記信号の受信レベルが前記閾値を超えていない場合には、前記特定のタイムスロットを用いた前記信号の送受信を中止し、前記特定の前記タイムスロット以外の前記連続タイムスロットに含まれる残りの前記タイムスロットを用いた前記信号の送受信を実行することを特徴とする請求項４に記載の無線基地局。
【請求項６】
互いに異なる周波数の局部発振信号を生成する複数の局部発振器を備え、タイムスロット毎に前記複数の局部発振器のうちの異なる前記局部発振器を選択し、選択した前記局部発振器を用いて信号の送受信を端末装置と行う無線基地局において動作する通信制御方法であって、
同一の端末装置に対して複数の連続したタイムスロットである連続タイムスロットを割当てる第１ステップと、
前記連続タイムスロットが割当てられた場合には、前記連続タイムスロットの期間では同一の周波数の局部発振信号を生成する同一の前記局部発振器を選択する第２ステップと
を備えることを特徴とする通信制御方法。
【請求項７】
前記第２ステップでは、前記同一の端末装置との前記信号の送受信では同一の局部発振器を選択することを特徴とする請求項６に記載の通信制御方法。
【請求項８】
前記連続タイムスロットは、送信用及び受信用のいずれか一方の前記端末装置に割当てられており、
前記第２ステップでは、前記端末装置からの前記信号の受信レベルが閾値を超えている場合には、前記一方の前記連続タイムスロットで選択される前記局部発振器とは異なる前記局部発振器を、他方の前記タイムスロットで選択することを特徴とする請求項６に記載の通信制御方法。
【請求項９】
前記連続タイムスロットは、送信用及び受信用の前記端末装置に割当てられており、
前記第２ステップでは、前記端末装置からの前記信号の受信レベルが閾値を超えている場合には、前記送信用又は前記受信用のいずれか一方の前記連続タイムスロットで選択される前記局部発振器とは異なる局部発振器を、他方の前記連続タイムスロットに含まれる特定のタイムスロットで選択することを特徴とする請求項６に記載の通信制御方法。
【請求項１０】
前記第２ステップでは、前記端末装置からの前記信号の受信レベルが前記閾値を超えていない場合には、前記特定のタイムスロットを用いた前記信号の送受信を中止し、前記特定の前記タイムスロット以外の前記連続タイムスロットに含まれる残りの前記タイムスロットを用いた前記信号の送受信を実行することを特徴とする請求項９に記載の通信制御方法。
【発明の詳細な説明】
【技術分野】
【０００１】
本発明は、時分割多重方式を用い、端末装置に割当てられたタイムスロットを用いて信号の送受信を端末装置と行う無線基地局及び通信制御方法に関する。
【背景技術】
【０００２】
従来からのＰＨＳの無線基地局は、時分割多重方式（ＴＤＭＡ／ＴＤＤ）を用い、端末装置（例えば、携帯電話機）に割当てられたタイムスロットを用いて信号の送受信を端末装置と行っている。
【０００３】
図１５に示すように、無線基地局は、例えば１フレームを８つのタイムスロットに分割し、端末装置から無線基地局への上り通信では８つのタイムスロットのうちの４つのタイムスロット（受信用）を用い、無線基地局から端末装置への下り通信では残りの４つのタイムスロット（送信用）を用いている。そして、無線基地局は、タイムスロット毎に異なる周波数の局部発振信号に切替え、切替え後の局部発振信号を用いて信号の送受信を端末装置と行っている（例えば、特許文献１参照）。
【０００４】
例えば、無線基地局は、第１局部発振信号を生成する第１局部発振器と、第２局部発振信号を生成する第２局部発振器とを備える。無線基地局は、各タイムスロットの開始（終了）のタイミングで第１局部発振器及び第２局部発振器のいずれかを交互に選択することにより、タイムスロット毎に異なる周波数の局部発振信号を用いている。
【０００５】
これにより、一の局部発振器で生成された局部発振信号が、一のタイムスロットで用いられているときに、それとは異なる周波数の局部発振信号が、他の局部発振器で生成されているため、無線基地局は、一のタイムスロットに続く次のタイムスロットの開始のタイミングで、当該一の局部発振器を当該他の局部発振器に切替えることにより、局部発振信号の周波数を異なる周波数に高速に切替えることができる。
【０００６】
また、上記無線基地局は、送信用又は受信用の伝送レートを向上させるために、同一の端末装置に対して同一周波数の連続した複数のタイムスロットからなる連続タイムスロットを割当てることができる。
【特許文献１】特開平６−１５２５１０号公報
【発明の開示】
【発明が解決しようとする課題】
【０００７】
しかしながら、上記無線基地局は、同一の端末装置に対して上記連続タイムスロットを割当てた場合でも、上記連続タイムスロットに含まれるタイムスロットの開始（終了）のタイミングで、同一周波数の局部発振信号を生成する第１局部発振器及び第２局部発振器のいずれかを交互に切替えることとなる。このため、上記無線基地局は、端末装置との間で送受信される情報のエラーを当該切替時に発生させていた。
【０００８】
そこで、本発明は以上の点に鑑みてなされたものであり、タイムスロット毎に異なる局部発振器を用いて信号の送受信を端末装置と行う処理において、同一の端末装置に対して同一周波数の連続タイムスロットを割当てても、当該同一の端末装置との間で送受信される情報のエラーの発生を抑制することができる無線基地局及び通信制御方法を提供することを目的とする。
【課題を解決するための手段】
【０００９】
上記課題を解決するために、本発明の第１の特徴は、互いに異なる周波数の局部発振信号を生成する複数の局部発振器を備え、タイムスロット毎に複数の局部発振器のうちの異なる局部発振器を選択し、選択した局部発振器を用いて信号の送受信を端末装置と行う無線基地局であって、同一の端末装置に対して複数の連続したタイムスロットである連続タイムスロットを割当てる割当部と、連続タイムスロットが割当てられた場合には、連続タイムスロットの期間では同一の周波数の局部発振信号を生成する同一の局部発振器を選択する選択部とを備えることを要旨とする。
【００１０】
かかる特徴によれば、連続タイムスロットが割当てられたことに基づいて、連続タイムスロットの期間では同一の局部発振器が選択される。すなわち、当該連続タイムスロットの期間では一方の局部発振器が他方の局部発振器に切替えられない。
【００１１】
このため、無線基地局は、連続タイムスロットを割当てても、当該局部発振器の切替えに伴なう情報のエラーを抑止することができる。
【００１２】
本発明の第２の特徴は、選択部が同一の端末装置との信号の送受信では同一の局部発振器を選択することを要旨とする。
【００１３】
本発明の第３の特徴は、連続タイムスロットが送信用及び受信用のいずれか一方の端末装置に割当てられており、端末装置からの信号の受信レベルが閾値を超えている場合には、選択部が一方の連続タイムスロットで選択される局部発振器とは異なる局部発振器を他方のタイムスロットで選択することを要旨とする。
【００１４】
本発明の第４の特徴は、連続タイムスロットが送信用及び受信用の端末装置に割当てられており、端末装置からの信号の受信レベルが閾値を超えている場合には、選択部が送信用又は受信用のいずれか一方の連続タイムスロットで選択される局部発振器とは異なる局部発振器を他方の連続タイムスロットに含まれる特定のタイムスロットで選択することを要旨とする。
【００１５】
本発明の第５の特徴は、端末装置からの信号の受信レベルが閾値を超えていない場合には、選択部が特定のタイムスロットを用いた信号の送受信を中止し、選択部が特定のタイムスロット以外の連続タイムスロットに含まれる残りのタイムスロットを用いた信号の送受信を実行することを要旨とする。
【発明の効果】
【００１６】
本発明の特徴によれば、タイムスロット毎に異なる局部発振器を用いて信号の送受信を端末装置と行う処理において、同一の端末装置に対して同一周波数の連続タイムスロットを割当てても、当該同一の端末装置との間で送受信される情報のエラーの発生を抑制することができる。
【発明を実施するための最良の形態】
【００１７】
［第１実施形態］
本実施形態における無線基地局及び端末装置について図面を参照しながら説明する。図１は、無線基地局２００と端末装置Ａ，Ｂとを示す図である。
【００１８】
図１に示すように、無線基地局２００は、時分割多重方式（ＴＤＭＡ／ＴＤＤ）を用い、端末装置Ａ，Ｂ（例えば、携帯電話機）に割当てられたタイムスロットを用いて信号の送受信を端末装置Ａ，Ｂと行う。
【００１９】
本実施形態における無線基地局２００は、互いに異なる周波数の局部発振信号を生成する複数の局部発振器（後述する図３に示す第１局部発振器２０２−２０，第２局部発振器２０２−３０）を備え、タイムスロット毎に当該複数の局部発振器のうちの異なる局部発振器を選択し、選択した局部発振器を用いて信号の送受信を端末装置Ａ，Ｂと行う。
【００２０】
なお、本実施形態では、２つの端末装置Ａ，Ｂしか用いられないが、これに限定されないのは勿論のことである。
【００２１】
次に、本実施形態における無線基地局２００の内部構造について図２を参照しながら説明する。
【００２２】
図２に示すように、無線基地局２００は、アンテナ２０１Ａ，２０１Ｂと、ＲＦ部２０２と、復調部２０３と、変調部２０４と、ＴＤＭＡ／ＴＤＤ処理部２０５と、接続制御部２０６と、ＩＦ部２０７と、通信品質検出部２０８と、選択制御部２０９とを備えている。
【００２３】
アンテナ２０１Ａ，２０１Ｂは、信号の送受信を端末装置Ａ，Ｂと行う。ＲＦ部２０２は、アンテナ２０１Ａ，２０１Ｂにより受信された信号（又は変調部２０４により変調された信号）を所定周波数の信号に順次変換する。
【００２４】
復調部２０３は、ＲＦ部２０２により変換された信号をベースバンド信号に復調する。変調部２０４は、送信するベースバンド信号を高周波信号に変調する。ＴＤＭＡ／ＴＤＤ処理部２０５は、端末装置に割当てられたタイムスロットに対応する処理を実行する。
【００２５】
接続制御部２０６は、ＣＰＵ（図示せず）に記憶されたプログラムを実行して各部を制御する。本実施形態における接続制御部２０６は、端末装置Ａ，Ｂからの要求により、フレームを構成する各タイムスロットのうちの空タイムスロットの存在を確認する。接続制御部２０６は、複数の連続した空タイムスロットである連続タイムスロットが存在する場合には、同一の端末装置に対して連続タイムスロットを割当てる。なお、接続制御部２０６は、割当部を構成する。
【００２６】
ＩＦ部２０７は、他の部と信号の送受信を行う。通信品質検出部２０８は、アンテナ２０１Ａ，２０１Ｂにより受信された信号の通信品質を検出する。通信品質には、アンテナ２０１Ａ，２０１Ｂにより受信された信号の単位時間当りの電力値（受信レベル）、アンテナ２０１Ａ，２０１Ｂにより受信された信号のフレームの単位時間当りのエラー数（ＦＥＲ）などが含まれる。
【００２７】
選択制御部２０９は、接続制御部２０６により連続タイムスロットが割当てられた場合には、連続タイムスロットの期間では同一の周波数の局部発振信号を生成する同一の局部発振器（第１局部発振器２０２−２０又は第２局部発振器２０２−３０のいずれか一方）を選択するようにＳＷ２０２−４０を制御する。
【００２８】
また、選択制御部２０９は、同一の端末装置との信号の送受信では同一の局部発振器を選択するようにＳＷ２０２−４０を制御する。
【００２９】
例えば、選択制御部２０９は、端末装置Ａに対して送信用（無線基地局→端末装置への送信；下り）のタイムスロットが割当てられたことに基づいて第１局部発振器２０２−２０を選択するようにＳＷ２０２−４０を制御した場合を考える。この場合には、選択制御部２０９は、端末装置Ａに対して受信用のタイムスロットが割当てられたときにも第１局部発振器２０２−２０を選択するように制御する。
【００３０】
次に、本実施形態におけるＲＦ部２０２の内部構造について図３を参照しながら説明する。
【００３１】
図３に示すように、ＲＦ部２０２は、アンテナＳＷ２０２−１と、受信アンプ２０２−２，送信アンプ２０２−１１と、第１中間周波数変換部２０２−３，１６と、第１中間増幅部２０２−４，１５と、発振器２０２−５と、第２中間周波数変換部２０２−６，１４と、第２中間増幅部２０２−７，１３と、第３中間周波数変換部２０２−８，１２と、第１局部発振器２０２−２０，第２局部発振器２０２−３０，第３局部発振器２０２−６０と、シンセサイザ回路２０２−２１，３１，５０と、ＴＣＸＯ２０２−５１とを備えている。
【００３２】
アンテナＳＷ２０２−１は、受信アンプ２０２−２及び送信アンプ２０２−１１のいずれかを選択する。受信アンプ２０２−２は、アンテナ２０１Ａ，２０１Ｂにより受信された信号を増幅する。第１中間周波数変換部２０２−３は、第１局部発振器２０２−２０が発生した第１局部発振信号（又は第２局部発振器２０２−３０が発生した第２局部発振信号）を用いて、受信アンプ２０２−２により増幅された信号を所定周波数の信号に変換する。
【００３３】
第２中間周波数変換部２０２−６は、発振器２０２−５が発生した発振信号を用いて、第１中間増幅部２０２−４により増幅された信号を所定周波数の信号に変換する。第３中間周波数変換部２０２−８は、第３局部発振器２０２−６０が発生した第３局部発振信号を用いて、第２中間増幅部２０２−７により増幅された信号を所定周波数に変換する。
【００３４】
これらの第１中間周波数変換部２０２−３、第２中間周波数変換部２０２−６及び第３中間周波数変換部２０２−８により信号が所定周波数の信号に順次変換されることにより、復調部２０３は、第３中間周波数変換部２０２−８からの信号を復調することができる。
【００３５】
また、変調部２０４により変調された信号は、第１中間周波数変換部２０２−１６、第２中間周波数変換部２０２−１４及び第３中間周波数変換部２０２−１２により所定周波数に順次変換され、アンテナ２１０Ａ，２１０Ｂを介して端末装置に送信される。変調された信号が端末装置に送信されるまでの処理は、上述した受信された信号が復調されるまでの処理と同様であるため、ここでの詳細な説明は省略する。
【００３６】
次に、上記第１局部発振器２０２−２０、上記第２局部発振器２０２−３０及びＳＷ２０２−４０について図３を参照しながら具体的に説明する。
【００３７】
第１局部発振器２０２−２０は、信号を送受信するための第１局部発振信号を生成する。第１局部発振器２０２−２０は、シンセサイザ回路２０２−２１（ループフィルタ２０２−２１ａ、ＰＬＬ２０２−２１ｂ）に接続されている。シンセサイザ回路２０２−２１は、第１局部発振信号の周波数の位相を検出し、第１局部発振信号の周波数を所定の発振周波数にロックするための制御を行う。これは後述するシンセサイザ回路２０２−３１も同様である。
【００３８】
上記第２局部発振器２０２−３０は、第１局部発振信号の周波数とは異なる周波数の第２局部発振信号を生成する。第２局部発振器２０２−３０は、シンセサイザ回路２０２−３１（ループフィルタ２０２−３１ａ、ＰＬＬ２０２−３１ｂ）に接続されている。ＴＣＸＯ２０２−５１は、水晶発振器により構成されている。
【００３９】
上述した第１局部発振器２０２−２０及び第２局部発振器２０２−３０は、選択制御部２０９にも接続されている。第１局部発振器２０２−２０及び第２局部発振器２０２−３０は、選択制御部２０９からの指示により、タイムスロットの開始のタイミングで当該タイムスロットに割当てられている端末装置に対応する局部発振信号を生成する。
【００４０】
ＳＷ２０２−４０は、選択制御部２０９からの指示により、タイムスロットの開始（終了）のタイミングで第１局部発振器２０２−２０及び第２局部発振器２０２−３０のうちのいずれか一方を選択する。なお、ＳＷ２０２−４０及び選択制御部２０９は、選択部を構成する。
【００４１】
次に、本実施形態における無線基地局２００の動作（通信制御方法）について図４を参照しながら説明する。
【００４２】
図４に示すように、Ｓ１において、接続制御部２０６は、連続スロットを要求するための要求信号が端末装置Ａ，Ｂから受信されたか否か判定する。また、接続制御部２０６は、この判定がＹＥＳである場合にはＳ３の処理に移り、ＮＯである場合には本処理を繰り返す。
【００４３】
Ｓ３において、接続制御部２０６は、フレームを構成する複数のタイムスロットのうちの空タイムスロットが存在するか否か確認する。
【００４４】
Ｓ５において、接続制御部２０６は、フレームを構成する複数のタイムスロットのうちの空タイムスロットが存在し、同一の端末装置に対して連続タイムスロットを割当てることができる場合には、当該同一の端末装置に対して連続スロットを割当てる。また、接続制御部２０６は、当該同一の端末装置に対して連続スロットの割当が可能であることを示す連続スロット可能信号を送信する。
【００４５】
ここで、図５は、本実施形態における１フレームを構成する複数のタイムスロットを示す図である。図５に示すように、１フレームでは、送信用（無線基地局→端末装置への送信；下り）のタイムスロットと受信用（端末装置→無線基地局での受信；上り）のタイムスロットとが同数で構成されている。
【００４６】
例えば、１フレームは、送信用の４つのタイムスロット、及び受信用の４つのタイムスロットにより構成されている。また、１フレームでは、送信用及びそれに対応する送信用のタイムスロット（例えば、タイムスロット（０）及び（４））には同一の端末装置（例えば、端末装置Ａ）が割当てられる。
【００４７】
図５に示すように、例えば、接続制御部２０６は、端末装置Ａに対して送信用又は受信用の連続タイムスロット（タイムスロット（０）及び（１）からなる送信用の連続タイムスロット、又はタイムスロット（４）及び（５）からなる受信用の連続タイムスロット；図５に示す太い枠内参照）を割当てることができる場合には、端末装置Ａに対して送信用又は受信用の連続タイムスロットを割当てる。
【００４８】
さらに、接続制御部２０６は、端末装置Ｂに対しても送信用又は受信用の連続タイムスロット（タイムスロット（２）及び（３）からなる送信用の連続タイムスロット、又はタイムスロット（６）及び（７）からなる受信用の連続タイムスロット；図５に示す太い枠内参照）を割当てることができる場合には、端末装置Ｂに対して送信用又は受信用の連続タイムスロットを割当てる。
【００４９】
この場合には、接続制御部２０６は、上記連続スロットの割当が可能であることを示す連続スロット可能信号を端末装置Ａ又は端末装置Ｂに送信する。
【００５０】
Ｓ７において、接続制御部２０６は、該当する連続タイムスロットで用いられる局部発振器を選択にするように指示する選択指示信号を選択制御部２０９に送信する。
【００５１】
Ｓ９において、選択制御部２０９は、上記選択指示信号を受信したか否か判定する。また、選択制御部２０９は、この判定がＹＥＳである場合にはＳ１１の処理に移り、ＮＯである場合には本処理を繰り返す。
【００５２】
Ｓ１１において、選択制御部２０９は、１フレームを構成する複数のタイムスロットを参照し、接続制御部２０６により指示された送信用又は受信用の連続タイムスロットを特定する（図５に示す太い枠内参照）。
【００５３】
Ｓ１３において、選択制御部２０９は、連続タイムスロットの期間では、同一の周波数の局部発振信号を生成する第１局部発振器２０２−２０及び第２局部発振器２０２−３０のいずれかを選択するようにＳＷ２０２−４０を制御する。
【００５４】
この場合に選択制御部２０９は、「送信用及び受信用」のタイムスロット（連続タイムスロット）が「同一の端末装置」に割当てられたことに基づいて、「送信用及び受信用」のそれぞれのタイムスロット（連続タイムスロット）の期間では「同一の局部発振器」を選択するようにＳＷ２０２−４０を制御する。
【００５５】
図５に示すように、例えば、端末装置Ａに対して割当てられた送信用の連続タイムスロットが、タイムスロット（０）及び（１）により構成され、さらに当該端末装置Ａに対して割当てられた受信用の連続タイムスロットが、タイムスロット（４）及び（５）により構成されている場合を考える。
【００５６】
この場合には、選択制御部２０９は、送信用の連続タイムスロット（タイムスロット（０）及び（１）からなる連続タイムスロット）、及び受信用の連続タイムスロット（タイムスロット（４）及び（５）からなる連続タイムスロット）の期間では、第１局部発振器２０２−２０を選択するようにＳＷ２０２−４０を制御する。また、選択制御部２０９は、当該送信用及び当該受信用の連続タイムスロットの期間では、第１局部発振器２０２−２０に対して同一の周波数の局部発振信号を生成するように指示する。
【００５７】
同様にして、図５に示すように、端末装置Ｂに対して割当てられた送信用の連続タイムスロットが、タイムスロット（２）及び（３）により構成され、さらに当該端末装置Ｂに対して割当てられた受信用の連続タイムスロットが、タイムスロット（６）及び（７）により構成されている場合を考える。
【００５８】
この場合には、選択制御部２０９は、送信用の連続タイムスロット（タイムスロット（２）及び（３）からなる連続タイムスロット）、及び受信用の連続タイムスロット（タイムスロット（６）及び（７）からなる連続タイムスロット）の期間では、第２局部発振器２０２−３０を選択するようにＳＷ２０２−４０を制御する。また、選択制御部２０９は、当該送信用及び当該受信用の連続タイムスロットの期間では、第２局部発振器２０２−３０に対して同一の周波数の局部発振信号を生成するように指示する。
【００５９】
かかる特徴によれば、連続タイムスロットが割当てられたことに基づいて、連続タイムスロットの期間では同一の局部発振器が選択される。すなわち、当該連続タイムスロットの期間では一方の局部発振器が他方の局部発振器に切替えられない。このため、無線基地局２００は、連続タイムスロットを割当てても、当該局部発振器の切替えに伴なう情報のエラーを抑止することができる。
【００６０】
ここで、無線基地局２００が同一の端末装置との信号の送受信するときに異なる局部発振器が選択された場合（例えば、タイムスロット（０）では第１局部発振器２０２−２０が選択され、更にはタイムスロット（４）では第２局部発振器２０２−３０が選択された場合）を考える。
【００６１】
この場合には、送信時及び受信時のそれぞれで用いられる局部発振器において生成される信号の位相が互いに異なる。このため、アダプティブアレイ処理により形成されるビームが所望の端末装置に対して向かなくなることがあり、当該所望の端末装置との通信経路における通信品質が劣化する。
【００６２】
本実施形態では、無線基地局２００は、送信時及び受信時では同一の端末装置に対して「同一」の局部発振器を用いる。このため、無線基地局２００は、アダプティブアレイ処理により形成されるビームを所望する端末装置に対して適切に向けることができ、当該所望する端末装置との通信経路における通信品質を劣化させないようにすることができる。
【００６３】
（変更例）  
なお、上記実施形態では、１フレームでは、送信用のタイムスロットと受信用のタイムスロットとが同数により構成されているが、これに限定されないのは勿論のことである。すなわち、１フレームでは、以下の各パターンに示すように、送信用のタイムスロットと受信用のタイムスロットとが異なる数により構成されてもよい。
【００６４】
＜パターン１＞
図６に示すように、例えば、１フレームは、送信用の６つのタイムスロット、及び受信用の２つのタイムスロットにより構成されてもよい。
【００６５】
また、連続タイムスロットは、２つの連続したタイムスロットにより構成されていることに限定されずに、３つ以上の連続したタイムスロット（例えば、タイムスロット（０）〜（４））により構成されてもよい。
【００６６】
この場合には、選択制御部２０９は、端末装置Ａに対してタイムスロット（０）〜（４）からなる連続タイムスロットが割当てられたことに基づいて、当該連続タイムスロットの期間では、同一の周波数の局部発振信号を生成する第１局部発振器２０２−２０を選択するようにＳＷ２０２−４０を制御する。
【００６７】
また、選択制御部２０９は、上記タイムスロット（０）〜（４）からなる連続タイムスロットが経過した場合には、それ以外に連続タイムスロットが存在しないため、第２局部発振器２０２−３０，第１局部発振器２０２−２０の順に、それ以降のタイムスロットの開始（終了）のタイミングで交互に局部発振器を選択するようにＳＷ２０２−４０を制御する。
【００６８】
さらに、選択制御部２０９は、同一の端末装置に対して割当てられた送信用及び受信用のタイムスロットの期間では同一の局部発振器を選択するようにＳＷ２０２−４０を制御する。
【００６９】
＜パターン２＞
図７に示すように、１フレームは、上記パターン１とは異なり、例えば、送信用の５つのタイムスロット、及び受信用の３つのタイムスロットにより構成されてもよい。
【００７０】
また、連続タイムスロットは、端末装置毎に異なる数のタイムスロットにより構成されてもよい。例えば、端末装置Ａに割当てられた連続タイムスロットは、連続した３つのタイムスロット（タイムスロット（０）〜（２））により構成される。これに対し、端末装置Ｂに割当てられた連続タイムスロットは、連続した２つのタイムスロット（送信用のタイムスロット（３）及び（４）、受信用のタイムスロット（６）及び（７））により構成される。
【００７１】
この場合には、選択制御部２０９は、端末装置Ａに対してタイムスロット（０）〜（２）からなる連続タイムスロットが割当てられたことに基づいて、当該連続タイムスロットの期間では、同一の周波数の局部発振信号を生成する第１局部発振器２０２−２０を選択するようにＳＷ２０２−４０を制御する。
【００７２】
また、選択制御部２０９は、端末装置Ｂに対してタイムスロット（３）及び（４）（又はタイムスロット（６）及び（７））からなる連続タイムスロットが割当てられたことに基づいて、当該連続タイムスロットの期間では第２局部発振器２０２−３０を選択するようにＳＷ２０２−４０を制御する。
【００７３】
さらに、選択制御部２０９は、同一の端末装置に対して割当てられた送信用及び受信用のタイムスロットの期間では同一の局部発振器を選択するようにＳＷ２０２−４０を制御する（図７参照）。
【００７４】
＜パターン３＞
図８に示すように、上記パターン２と同様に、例えば、１フレームは、送信用の５つのタイムスロット、及び受信用の３つのタイムスロットにより構成されてもよい。
【００７５】
また、同一の端末装置（例えば、端末装置Ａ）に対して割当てられる連続タイムスロットの数は、送信用及び受信用で異ならせてもよい。例えば、端末装置Ａに対して割当てられた「送信用」の連続タイムスロットは、タイムスロット（０）〜（２）の３つで構成される。これに対し、端末装置Ａに対して割当てられた「受信用」の連続タイムスロットは、タイムスロット（５）及び（６）の２つで構成される。
【００７６】
なお、選択制御部２０９がいずれか一方の局部発振器を選択する制御は上記パターン１及び上記パターン２と同様であるため、ここでの詳細な説明は省略する。
【００７７】
［第２実施形態］
第１実施形態では、選択制御部２０９は、同一の端末装置に対して割当てられた送信用及び受信用のタイムスロットにおいて同一の局部発振器を選択するようにＳＷ２０２−４０を制御している。これに対し、第２実施形態では、選択制御部２０９は、同一の端末装置に対して割当てられた送信用及び受信用のタイムスロットのそれぞれにおいて、所定条件下（後述するＳ１１３のＹＥＳ参照）で異なる局部発振器を選択するようにＳＷ２０２−４０を制御している。
【００７８】
本実施形態における無線基地局２００を構成する各部のうち、図２に示す同一名称の部については、特段の説明をしていない限り同様の機能を有する。以下、具体的に説明する。
【００７９】
選択制御部２０９は、送信用及び受信用のいずれか一方の連続タイムスロットが割当てられているときに、当該端末装置からの信号の受信レベルが閾値を超えている場合には、当該一方の連続タイムスロットで選択される局部発振器とは異なる局部発振器を、他方のタイムスロットで選択する（後述する図１０及び図１１参照）。
【００８０】
例えば、選択制御部２０９は、送信用の連続タイムスロット（例えば、図１０に示すタイムスロット（０）〜（２））が同一の端末装置（例えば、端末装置Ａ）に割当てられ、当該端末装置（例えば、端末装置Ａ）から受信された信号の受信レベルが閾値を超えていることに基づいて、送信用の連続タイムスロット（例えば、図１０に示すタイムスロット（０）〜（２））で選択される局部発振器（例えば、第１局部発振器２０２−２０）とは異なる局部発振器（例えば、第２局部発振器２０２−３０）を、送信用の連続タイムスロット（例えば、図１０に示すタイムスロット（０）〜（２））に対応する受信用のタイムスロット（例えば、図１０に示すタイムスロット（５））で選択する。
【００８１】
又は、選択制御部２０９は、受信用の連続タイムスロット（例えば、図１１に示すタイムスロット（３）〜（５））が同一の端末装置（例えば、端末装置Ａ）に割当てられ、当該端末装置（例えば、端末装置Ａ）から受信された信号の受信レベルが閾値を超えていることに基づいて、受信用の連続タイムスロット（例えば、図１１に示すタイムスロット（３）〜（５））で選択される局部発振器（例えば、第１局部発振器２０２−２０）とは異なる局部発振器（例えば、第２局部発振器２０２−３０）を、受信用の連続タイムスロット（例えば、図１１に示すタイムスロット（３）〜（５））に対応する送信用のタイムスロット（例えば、図１１に示すタイムスロット（０））で選択する。
【００８２】
次に、本実施形態における無線基地局２００の動作について図９を参照しながら説明する。図９に示すＳ１０１乃至Ｓ１１１の処理は上述した図４に示すＳ１乃至Ｓ１１の処理と同様であるため、ここでの詳細な説明は省略する。なお、本実施形態では端末装置Ａ，Ｂ，Ｃの３つが存在するものとして説明するが、これに限定されないのは勿論のことである。
【００８３】
Ｓ１１３において、選択制御部２０９は、送信用及び受信用のいずれか一方の連続タイムスロットが同一の端末装置に割当てられ、当該端末装置（例えば、端末装置Ａ）から受信された信号の受信レベルが閾値を超えているか否か判定する。また、選択制御部２０９は、この判定がＹＥＳである場合にはＳ１１５の処理に移り、ＮＯである場合にはＳ１１７の処理に移る。
【００８４】
Ｓ１１５において、選択制御部２０９は、送信用及び受信用のいずれか一方の連続タイムスロットで選択される局部発振器とは異なる局部発振器を、当該一方の連続タイムスロットに対応する他方のタイムスロットで選択するようにＳＷ２０２−４０を制御する。
【００８５】
ここで、図１０は、本実施形態における１フレームを構成する複数のタイムスロットを示す図である。図１０に示すように、例えば、１フレームは、送信用の５つのタイムスロット、及び受信用の３つのタイムスロットにより構成されている。
【００８６】
図１０に示すように、例えば、端末装置Ａに割当てられた送信用の連続タイムスロット（タイムスロット（０）〜（２））に対応する局部発振器が第１局部発振器２０２−２０である場合には、選択制御部２０９は、端末装置Ａに割当てられた受信用のタイムスロット（５）では、当該第１局部発振器２０２−２０とは異なる第２局部発振器２０２−３０を選択するようにＳＷ２０２−４０を制御する（図１０に示す斜線部分を参照）。
【００８７】
同様にして、端末装置Ｂに割当てられた送信用のタイムスロット（３）に対応する局部発振器が第２局部発振器２０２−３０である場合には、選択制御部２０９は、端末装置Ｂに割当てられた受信用のタイムスロット（６）では、当該第２局部発振器２０２−３０とは異なる第１局部発振器２０２−２０を選択するようにＳＷ２０２−４０を制御する（図１０に示す斜線部分を参照）。
【００８８】
このことは、端末装置Ｃに割当てられた送信用のタイムスロット（４）についても同様である。また、１フレームの構成が図１１に示す構成である場合にも、上記と同様の処理により選択制御部２０９はＳＷ２０２−４０を制御する。
【００８９】
Ｓ１１７において、選択制御部２０９は、同一の端末装置に割当てられた送信用及び受信用のタイムスロットの期間では、同一の局部発振器を選択するようにＳＷ２０２−４０を制御する。
【００９０】
ここで、上記第１実施形態で説明したように、送信用のタイムスロットとそれに対応する受信用のタイムスロットとのそれぞれの局部発振器が異なることにより、アダプティブアレイ処理により形成されるビームが当該所望の端末装置に対して向かなくなることがあり、当該所望の端末装置との通信経路における通信品質が劣化する。
【００９１】
ところが、Ｓ１１５では、送信用及び受信用のいずれか一方の連続タイムスロットが割当てられた端末装置から受信された信号の受信レベルが閾値を超えている場合に「のみ」、無線基地局２００は、当該一方の連続タイムスロットで用いる局部発振器と、それに対応する他方のタイムスロットで用いる局部発振器とを異ならせている。
【００９２】
このため、無線基地局２００は、上記連続タイムスロットが割当てられた端末装置へのビームを適切に向けさせることができないが、当該端末装置から受信した信号の受信レベルが閾値を超えており、当該端末装置との電界強度が大きいため、当該端末装置への送信信号の通信品質を劣化させ難くすることができる。
【００９３】
［第３実施形態］
第２実施形態では、送信用及び受信用のいずれか「一方」に連続タイムスロットが同一の端末装置に対して割当てられている場合について説明したが、第３実施形態では、送信用及び受信用の「双方」に連続タイムスロットが同一の端末装置に対して割当てられている場合について説明する。
【００９４】
本実施形態における無線基地局２００を構成する各部のうち、図２に示す同一名称の部については、特段の説明をしていない限り同様の機能を有する。以下、具体的に説明する。
【００９５】
選択制御部２０９は、送信用及び受信用の端末装置に連続タイムスロットが割当てられたときに、当該端末装置からの信号の受信レベルが閾値を超えている場合には、送信用又は受信用のいずれか一方の連続タイムスロット（例えば、図１３に示すタイムスロット（０）及び（１））で選択される局部発振器（例えば、第１局部発振器２０２−２０）とは異なる局部発振器（例えば、第２局部発振器２０２−３０）を、他方の連続タイムスロットに含まれる特定のタイムスロット（例えば、図１３に示すタイムスロット（４））で選択する。
【００９６】
また、選択制御部２０９は、端末装置からの信号の受信レベルが閾値を超えていない場合には、上記特定のタイムスロット（例えば、図１３に示すタイムスロット（４））を用いた信号の送受信を中止し、当該特定のタイムスロット以外の連続タイムスロットに含まれる残りのタイムスロット（例えば、図１３に示すタイムスロット（５））を用いた信号の送受信を実行する。
【００９７】
次に、本実施形態における無線基地局２００の動作について図１２を参照しながら説明する。図１２に示すＳ２０１乃至Ｓ２１１の処理は上述した図４に示すＳ１乃至Ｓ１１の処理と同様であるため、ここでの詳細な説明は省略する。
【００９８】
Ｓ２１３において、選択制御部２０９は、送信用及び受信用の連続タイムスロットが同一の端末装置に割当てられ、当該端末装置から受信された信号の受信レベルが閾値を超えているか否か判定する。また、選択制御部２０９は、この判定がＹＥＳである場合には、Ｓ２１５の処理に移り、ＮＯである場合にはＳ２１７の処理に移る。
【００９９】
Ｓ２１５において、選択制御部２０９は、送信用及び受信用のいずれか一方の連続タイムスロットで選択される局部発振器（例えば、第１局部発振器２０２−２０）とは異なる局部発振器（例えば、第２局部発振器２０２−３０）を、他方の連続タイムスロットに含まれる特定のタイムスロットで選択する。
【０１００】
ここで、図１３は、本実施形態における１フレームを構成する複数のタイムスロットを示す図である。図１３に示すように、例えば、１フレームは、送信用の４つのタイムスロット、及び受信用の４つのタイムスロットにより構成されている。
【０１０１】
図１３に示すように、例えば、端末装置Ａに割当てられた送信用の連続タイムスロット（タイムスロット（０）及び（１））に対応する局部発振器が第１局部発振器２０２−２０である場合には、選択制御部２０９は、端末装置Ａに割当てられた受信用の連続タイムスロット（タイムスロット（４）及び（５））を構成する特定のタイムスロット（４）の期間では、当該第１局部発振器２０２−２０とは異なる第２局部発振器２０２−３０を選択するようにＳＷ２０２−４０を制御する（図１３に示す斜線部分を参照）。
【０１０２】
Ｓ２１７において、選択制御部２０９は、送信用及び受信用の連続タイムスロットの期間では同一の局部発振器（例えば、第１局部発振器２０２−２０）を用いた通信を行うようにＳＷ２０２−４０を制御する。
【０１０３】
ここで、上記の通り特定のタイムスロットの期間では異なる局部発振器が用いられることにより、アダプティブアレイ処理により形成されるビームが当該所望の端末装置に対して向かなくなることがあり、当該所望の端末装置との通信経路における通信品質が劣化することがある。
【０１０４】
ところが、Ｓ２１５では、送信用及び受信用の連続タイムスロットが割当てられている端末装置から受信された信号の受信レベルが閾値を超えている場合に「のみ」、無線基地局２００は、送信用又は受信用のいずれか一方の連続タイムスロットで選択される局部発振器とは異なる局部発振器を、他方の連続タイムスロットに含まれる特定のタイムスロットで選択している。
【０１０５】
このため、無線基地局２００は、上記特定のタイムスロットが割当てられた端末装置へのビームを適切に向けさせることができないが、当該端末装置から受信した信号の受信レベルが閾値を超えており、当該端末装置との電界強度が大きいため、当該端末装置への送信信号の通信品質を劣化させ難くすることができる。
【０１０６】
（変更例１）
なお、Ｓ２１７において、選択制御部２０９は、送信用又は受信用の連続タイムスロットを構成する特定のタイムスロット（例えば、図１３に示す特定のタイムスロット（４）、図１４に示す特定のタイムスロット（１））を用いた信号の送受信を中止してもよい。例えば、選択制御部２０９は、特定のタイムスロットで用いられる局部発振器の動作を停止させることにより、当該特定のタイムスロットを用いた信号の送受信を中止する。
【０１０７】
一方、選択制御部２０９は、送信用又は受信用の連続タイムスロットを構成する特定のタイムスロット（例えば、図１３に示す特定のタイムスロット（４）、図１４に示す特定のタイムスロット（１））以外の連続タイムスロットに含まれる残りのタイムスロットを用いた信号の送受信を実行する。
【０１０８】
この場合には、無線基地局２００は、特定のタイムスロットを用いた信号の送受信を中止することにより、当該特定のタイムスロットに対応する送信用又は受信用のタイムスロットで用いられる局部発振器とは異なる局部発振器を用いることが無くなる。
【０１０９】
このため、無線基地局２００は、上記特定のタイムスロットを含む連続タイムスロットに割当てられた端末装置に対してビームを適切に向けることができ、当該端末装置との通信経路における通信品質を劣化させないようにすることができる。
【０１１０】
なお、Ｓ２１７において、選択制御部２０９は、送信用又は受信用の連続タイムスロットのうち、通信速度を向上させる必要のないタイムスロットを上記特定のタイムスロットとして決定し、当該特定のタイムスロットを用いた信号の送受信を中止してもよい。
【０１１１】
（変更例２）
なお、上記実施形態では、選択制御部２０９は、所定条件を満たす場合（Ｓ２１３のＹＥＳ）には、「受信用」の連続タイムスロットを構成する特定のタイムスロットで用いられる局部発振器を、「送信用」の連続タイムスロットで用いられる局部発振器とは異ならせている（上記Ｓ２１５参照）。
【０１１２】
これに対し、図１４に示すように、本変更例では、選択制御部２０９は、所定条件を満たす場合（Ｓ２１３のＹＥＳ）には、「送信用」の連続タイムスロットを構成する特定のタイムスロット（ここでは、タイムスロット（１））で用いられる局部発振器を、「受信用」の連続タイムスロット（ここでは、タイムスロット（４）及び（５））で用いられる局部発振器とは異ならせてもよい（図１４に示す斜線部分を参照）。
【０１１３】
［プログラム］
上記無線基地局２００において動作するプログラムは、コンピュータを接続制御部２０６及び選択制御部２０９として機能させることができる。接続制御部２０６及び選択制御部２０９は上記各実施形態及び上記各変更例と同様であるため、ここでの詳細な説明は省略する。
【０１１４】
上記プログラムは、記録媒体に記録されてもよい。当該記録媒体は、ハードディスク、フレキシブルディスク、コンパクトディスク、ＩＣチップ、カセットテープなどが挙げられる。
【０１１５】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、実施形態及び各変更例に記載されたものに限定されるものではない。
【図面の簡単な説明】
【０１１６】
【図１】第１実施形態における無線基地局及び複数の端末装置を示す図である。
【図２】第１実施形態における無線基地局の内部構成を示す図である。
【図３】第１実施形態におけるＲＦ部の内部構成を示す図である。
【図４】第１実施形態における無線基地局の動作を示す図である。
【図５】第１実施形態における１フレームの構成を示す図である。
【図６】変更例における１フレームの構成を示す図である。
【図７】変更例における１フレームの構成を示す図である。
【図８】変更例における１フレームの構成を示す図である。
【図９】第２実施形態における無線基地局の動作を示す図である。
【図１０】第２実施形態における１フレームの構成を示す図である。
【図１１】変更例における１フレームの構成を示す図である。
【図１２】第３実施形態における無線基地局の動作を示す図である。
【図１３】第３実施形態における１フレームの構成を示す図である。
【図１４】変更例における１フレームの構成を示す図である。
【図１５】従来における無線基地局の内部構成を示す図である。
【符号の説明】
【０１１７】
２００…無線基地局、２０１…アンテナ、２０２…ＲＦ部、２０３…復調部、２０４…変調部、２０５…ＴＤＭＡ／ＴＤＤ処理部、２０６…接続制御部、２０７…Ｉ／Ｆ部、２０８…通信品質検出部、２０９…選択制御部
【図１】
2007129483.tif 000003
【図２】
2007129483.tif 000004
【図３】
2007129483.tif 000005
【図４】
2007129483.tif 000006
【図５】
2007129483.tif 000007
【図６】
2007129483.tif 000008
【図７】
2007129483.tif 000009
【図８】
2007129483.tif 000010
【図９】
2007129483.tif 000011
【図１０】
2007129483.tif 000012
【図１１】
2007129483.tif 000013
【図１２】
2007129483.tif 000014
【図１３】
2007129483.tif 000015
【図１４】
2007129483.tif 000016
【図１５】
2007129483.tif 000017